(57)【特許請求の範囲】
【請求項１】
平面視で略半円状の机天板と、該机天板の外周縁より外側に配置されるサービスステーションとからなり、ガイド手段を介してサービスステーションに対して机天板を平面視円弧状に移動案内すべく連結されていることを特徴とするシステム机。
【請求項２】
前記机天板の内径部には、その円弧状外周縁の仮想円中心近傍に人が位置するための凹縁部が形成されていることを特徴とする請求項１に記載のシステム机。
【請求項３】
前記サービスステーションは、机天板の上面側に対するサービス提供部を有することを特徴とする請求項１または請求項２に記載のシステム机。
【請求項４】
前記机天板を支持する脚体にキャスタを備え、前記ガイド手段は、前記机天板の外周部に配置された平面視円弧状のガイドレールを介して前記サービスステーションとの距離を一定にして連結し、机天板とサービスステーションとを相対的に水平移動可能に構成したことを特徴とする請求項１乃至請求項３のいずれかに記載のシステム机。
【請求項５】
前記サービスステーションの脚体から突出する支持部に、机天板をその回転中心回りに回動可能に支持させたことを特徴とする請求項１乃至請求項３のいずれかに記載のシステム机。
【請求項６】
前記机天板を支持する脚体に、当該机天板をその回転中心回りに回動可能に支持させたことを特徴とする請求項１乃至請求項４に記載のシステム机。
【発明の詳細な説明】
【０００１】
【発明の属する技術分野】
本発明は、最適作業領域の位置選択や、作業集中、会話（対話）等のための位置選択が可能で、且つレイアウトの変更もし易いシステム机の構成に関するものである。
【０００２】
【従来の技術】
従来、例えば、特開平４−３５７９０４号公報において、オフィス空間の有効利用を図り、作業可能領域を広げて作業効率を向上させるため、平面視が六角形状の六角天板を有する机と、該机と同じ高さで平面視が矩形状の補助天板を有するサイド机との組み合わせからなるシステム机であって、複数（４つ）の六角天板を、各六角天板の外周辺のうち一辺同士を突き合わせる一方、サイド机の補助天板を前記六角天板の一側辺に沿わせて配置することが開示されている。
【０００３】
この構成によれば、平面視において、六角天板の内周側に位置して椅子に着座した人を中心とし、その人の手が略届く円弧状の作業範囲が、前記六角天板とそれに隣接して配置した補助天板との領域内に納まる。また、４つの補助天板を矩形状に隣接配置し、それに沿って六角天板をその外周辺同士が突き合うように当接して配置すれば、前記作業可能領域が互いに接近したものでありながら、六角天板上のデッドスペースが少なくなり、且つ対向島配列であっても個々人のワークスペースの独立性を確保できる。さらに、一つの六角天板の外周辺側に来客者用の椅子等をおくことで、ミーティングスペースとすることができるというものであった。
【０００４】
【発明が解決しようとする課題】
しかしながら、最近の作業環境は情報化によりコンピュータ等の電子機器の操作が多くなり、且つ多様化しているため、これらの機器や書類等を載置しておく箇所（サービスステーション）を纏めておくことが望ましいが、前記従来の机天板では物品がばらばらの箇所に散らばっており、机天板上が乱雑になるという問題があった。しかも、前記六角天板を有する机の場合には、前記人の手が略届く円弧状の作業範囲より外側に角状のデッドスペースが存在するため、当該六角天板を挟んで対話（コミュニケーション）をはかるときの距離が長い箇所と短い箇所とができ、また外側の角部の机天板に対峙して着座することに違和感がある。
【０００５】
さらに、前記情報機器を使う等して作業に集中しているときに、人との対話の環境に迅速に切り換え、且つ机天板の広い面積をその環境に合わせた位置に変位させることが困難であった。
【０００６】
本発明はこれらの従来の問題点に鑑みなされたものであって、机天板の前に座る人（作業者）を中心にして作業への集中と対話の良好性を確保し、且つ作業と対話への環境を迅速に変更にできるようにし、さらに、人のテリトリー（縄張り、領域）を最小にしたものでありながら、デッドスペースを少なくできるシステム机を提供することを目的とするものである。
【０００７】
【課題を解決するための手段】
前記目的を達成するため、請求項１に記載の発明のシステム机は、平面視で略半円状の机天板と、該机天板の外周縁より外側に配置されるサービスステーションとからなり、ガイド手段を介してサービスステーションに対して机天板を平面視円弧状に相対的に移動案内すべく連結されていることを特徴とするものである。
【０００８】
そして、請求項２に記載の発明は、請求項１に記載のシステム机において、前記机天板の内径部には、その円弧状外周縁の仮想円中心近傍に人が位置するための凹縁部が形成されているものである。
【０００９】
また、請求項３に記載の発明は、請求項１または請求項２に記載のシステム机において、前記サービスステーションは、机天板の上面側に対するサービス提供部を有するのである。
【００１０】
さらに、請求項４に記載の発明は、請求項１乃至請求項３のいずれかに記載のシステム机において、前記机天板を支持する脚体にキャスタを備え、前記ガイド手段は、前記机天板の外周部に配置された平面視円弧状のガイドレールを介して前記サービスステーションとの距離を一定にして連結し、机天板とサービスステーションとを相対的に水平移動可能に構成したものである。
【００１１】
他方、請求項５に記載の発明は、請求項１乃至請求項３のいずれかに記載のシステム机において、前記サービスステーションの脚体から突出する支持部に、机天板をその回転中心回りに回動可能に支持させたものである。
【００１２】
請求項６に記載の発明は、請求項１乃至請求項４に記載のシステム机において、前記机天板を支持する脚体に、当該机天板をその回転中心回りに回動可能に支持させたものである。
【００１３】
【発明の実施の形態】
次に、本発明を具体化した実施形態について説明する。図１は本発明に係るシステム机の正面図、図２は右側断面図、図３は平面図、図４はガイド手段の要部断面図、図９は前側から見た斜視図、図１０は後側から見た斜視図、図１５は作業の種類による机天板の向き変更を示す平面図、図１６（ａ）、（ｂ）及び（ｃ）は複数のシステム机の配置の例を示す平面図である。
【００１４】
図１〜図９に示すように、本発明のシステム机１は、平面視略半円状の机天板２と、その外周側に隣接して配置させるサービスステーション３とから構成されている。図３に示すように、平面視において、机天板２の外周縁２ａは回転中心となる中心Ｏから半径Ｒ１の略半円周であり、机天板２の内周縁のうち中央部は半径Ｒ２の略半円周の凹縁部２ｂに形成され、前記中心Ｏの近傍位置に作業者（人Ｈ０）の身体が配置されるとき、前記凹縁部２ｂは身体の外周に当たらないように形成されている。実施形態では、机天板２の外周縁２ａの半径Ｒ１は略６００ｍｍ〜８００ｍｍ程度であり、好ましくは７５０ｍｍである。凹縁部２ｂの半径Ｒ２は３５０ｍｍ程度に設定されている。
【００１５】
第１実施形態における机天板２は左右一対の脚体４、４に支持されたものであり、脚体４は脚柱４ａと平面視バナナ状（略円弧状）の水平足４ｂとからなり、この水平足４ｂは、平面視において、前記机天板２の外周縁の内径側で略沿うように配置され、各水平足４ｂの下面には複数のキャスタ５が取付けられている。
【００１６】
また、机天板２の外周寄りの下面には平面視円弧状で下向きに開口した断面下向きコ字状のガイドレール６を埋め込む等して固定し、このガイドレール６は後述するように、前記サービスステーション３と連結された状態で、机天板２が水平に回動するときのガイド手段の一部を構成することになる。
【００１７】
サービスステーション３の第１実施形態は、図１〜図１０に示すように、机天板２の外周側に位置できるように、平面視で略円弧状の横枠７や、物品載置部８を脚体９にて支持する。
【００１８】
脚体９は、円弧状の水平足１０から立設する複数本（実施形態では３本）の脚柱１１と、前記水平足１０から机天板２の下方の内周方向に延びる一対の補助水平足１２と、複数の脚柱１１、１１から各々突出するアーム１３に設けたガイド手段としての水平回転可能なコロ１４とからなり（図２及び図４参照）、この複数の回転コロ１４を前記ガイドレール６に転動可能に嵌め入れることにより、机天板２がサービスステーション３に対して平面視円弧状に移動案内され、且つ両者が離れないように連結されているのである。
【００１９】
換言すると、前記ガイド手段として机天板２の外周部に配置された平面視円弧状のガイドレール６とサービスステーション３側に設けた１乃至複数の回転コロ１４とにより、当該机天板２と前記サービスステーション３との距離を一定にして両者が相対的に水平移動可能に連結されているものであり、机天板２の外周縁と一定距離保持した状態に連結されているものである。ガイド手段の別の実施形態として図６に示すように、机天板２の外周縁に沿わせて、半径外向きに開口する断面コ字状のガイドレール６を固定し、脚体９から横向きに突出させたアーム１３に突設した回転コロ１４を前記ガイドレール１６に嵌めて、机天板２がサービスステーション３に対して平面視円弧状に移動案内され、且つ両者が離れないように連結するように構成しても良いのである。前記回転コロ１４に代えて、球体等の転動体としても良いし、摩擦係数の小さい摺動体であっても良い。
【００２０】
なお、図示実施形態では、横枠７と水平足１０とは同じ形態のビーム部材（図７、図８（ａ）及び図８（ｂ）参照）を利用するものであり、このビーム部材は平面視円弧状（内半径７６０ｍｍ、外半径８４０ｍｍ、平均半径Ｒ０＝８００ｍｍ程度）で中心角度６０度の内径側主梁３０ａと外径側主梁３０ｂとの間を平面視Ｘ字状の補強リブ３１にて連結すると共に、適宜間隔にて円筒状上下連結部３２にて連結されており、また、内径側主梁３０ａ及び外径側主梁３０ｂは平面視梯子状に形成されている。そして、ビーム部材の長手方向端面には、図８（ｂ）に示すごとく楔状の蟻溝３３が形成されているので、この複数のビーム部材同士を図示しないほぞ状の連結片にて着脱自在可能に連結して水平方向に湾曲状に延長させることができるものである。横枠７、水平足１０と縦方向の脚柱１１又は／及び支柱１６を連結する場合、図５に示すように、円筒状の脚柱１や支柱１６の内径に軸線方向に挿通させた連結軸１９を前記円筒状上下連結部３２に挿通させて端部をナット２０にて螺着すれば良い。
【００２１】
また、サービスステーション３における水平足１０や補助水平足１２の下面にキャスタ１５を取付けて移動可能に構成しても良い。これらキャスタ１５及び机天板２の脚体４におけるキャスタ５は転動の向きが任意に変更できるように構成されている。
【００２２】
サービスステーション３においては、前記脚体９の上方に支柱１６を介して物品載置部８としての上下部収納棚板１７ａ，１７ｂが設けられており、上下棚板１７ａ，１７ｂの外周は蛇腹状（テレスコピック状）の開閉扉１８にて開閉可能に覆われている。
【００２３】
さらに、図９及び図１０に示すように、サービスステーションでは、サービス提供物品としてのコンピュータのための液晶表示装置等のモニター３６を前記横枠７から立設するアーム３７に取付けたり、支柱１６の適宜高さに穿設した取付け孔３８を介して横向きに突設したテーブル３９に電話機４０を載置したり、プリンタ４１を載置することができる。また、前記横枠７には、携帯電話や鉛筆等の筆記具を入れるためのバケット４２や、感圧貼着式メモ用紙４３ａを貼り付けるためのメモボード４３を取付けても良い。これらの部品の取付けは前記横枠７における補強リブ３１間の隙間や、主梁３１ａ，３１ｂの梯子部の隙間、脚柱１１、支柱１６に穿設された取付け孔を利用することができる。このように情報処理等の作業を実行するための各種サービス用の物品は主として机天板２の上面より上方位置で作業者の手が届き易い箇所に配置する。勿論机天板２上にはコンピュータのためのキーボード４４や書類等を載置でき、種々の作業ができる。
【００２４】
なお、液晶表示装置等のモニター３６、電話機４０、プリンタ４１等の各種電気製品の電源コード４５や通信線４６の余長部は脚柱１１、１１の間に装架したコードダクト４７に収納でき、且つ脚柱１１の外周面に沿わせて配線するときには配線結束具４８にて脚柱１１にて留めることが望ましい。サービスステーション３から床面４９のコネクタ５０へは電源コード４５や通信線４６を直接または脚柱１１などに取り付けた中継コネクタ５１を介して接続すれば良い。
【００２５】
図１１（ａ）及び図１１（ｂ）に示す第２実施形態は、机天板２をサービスステーション３に直接支持させた状態で、机天板２を水平回動可能に連結した構成であり、サービスステーション３における脚体９から略横向きに突出させた支持部としての支持アーム５２の先端に縦支軸５３を上向きに突設し、該縦支軸５３に机天板２の下面の内径部に設けた軸受部５４を被嵌させて、机天板２が水平回動可能となるように支持する一方、該支持アーム５２の中途部または別の脚柱１１等から突出させた１乃至複数のアーム１３に摺動片５５を突設上向きに突設させる。机天板２の下面外周に円弧状に配置した断面下向きコ字状のガイドレール６に対して前記摺動片５５を摺動可能に被嵌させることにより、机天板２を複数箇所で支持すると共に、縦支軸５３が回転中心Ｏとなり、これを中心に水平回動可能とするのである。なお、縦支軸５３を机天板２側に設け、軸受部５４を支持アームに設けても良い、また摺動片５５とガイドレール６とは摩擦係数の少なく部材または摩擦面とする。
【００２６】
この構成によれば、机天板２を直接床面に支持する脚体が不要であり、構成が簡単になる。
【００２７】
図１２（ａ）及び図１２（ｂ）に示す第３実施形態は、机天板２を脚体４に対して水平回動可能に支持させると共に、サービスステーション３の脚体９に対しても水平回動可能に支持させて連結した構成であり、机天板２の外周縁と一定距離保持した状態に連結した構成である。左右一対の脚体４の上部間を支持アーム５６にて連結し、該支持アーム５６の略中央部に１乃至複数の回転コロもしくは球体等の転動体５７を支持させる一方、机天板２の下面にはその回転中心Ｏから半径Ｒ３の平面視円弧状の内径ガイドレール５８を下向き開口状に設け、この内径ガイドレール５８に前記転動体５７を嵌め入れて机天板２が水平回動可能となるように支持する。サービスステーション３における脚体９から突出したアーム５９に設けた回転コロや球体などの１乃至複数の転動体６０を、机天板２の下面外周寄り部位に設けた外径ガイドレール６１に嵌め入れ、ここでも机天板２が水平回動可能となるように支持すると共に、机天板２がサービスステーション３から離れないよう連結するのである。
【００２８】
図１３及び図１４は、第４実施形態を示し、サービスステーション３は１本の支柱からなる脚体６２にて支持されている。脚体６２の下端の水平足６３は平面視円弧状（バナナ状）であって、高さの低い偏平形状であり、また、安定性を高めるために、同じく偏平な補助水平足６５が前記水平足６３に接続片６６を介して連設されており、机天板２の下方に向かって延びている。これら補助水平足６５、前記水平足６３の下面両端にキャスタ６４が各々取付けられている。
【００２９】
他方、机天板２を支持するための左右一対の脚体４の各水平足４ｂに設けたキャスタ５の高さが前記水平足６３、補助水平足６５及び接続片６６より高いので、各水平足４ｂが補助水平足６５及び接続片６６を跨いで、平面視で重複した位置に配置できる。そして、脚体６２の高さの中途から突出したアーム６７に設けた回転コロ等の転動体６８を机天板２の下面外周寄り部位に設けた平面視円弧状で下向きに開口した断面下向きコ字状のガイドレール６に嵌め入れて、サービスステーション３の脚体６２に対して、机天板２を水平回動可能に支持させて連結した構成で、机天板２の外周縁と一定距離保持した状態にした構成とするものである。なお、脚体６２の上端部には、物品を収納できる物品載置部８が設けられ、脚体６３高さの中途部であって机天板２の上面より高い位置に該当箇所には、液晶表示装置等のモニター３６等の物品を載置したり吊支できる平面視円弧状のビーム部材６９が取付けられている。図示実施形態では３つのサービスステーション３を机天板２の外周に沿って配置しているが１つであっても良いことはいうまでもない。
【００３０】
以上の各実施形態におけるサービスステーション３は平面視で中心角度６０度程度に納められており、これは人の通常作業時の視野角度に基づくものである。
【００３１】
次に、本発明に係るシステム机１の作用効果を、図１５、図１６（ａ）〜（ｃ）に示す配置例を参照しながら説明する。図３を参照して理解できるように、サービスステーション３に対して水平回動するように連結された机天板２の回動中心近傍（机天板２の内径側の凹縁部２ｂ）にて回転可能な椅子７０に着座する人Ｈ０を中心にして観察するとき、図１５（ａ）では、机天板２の左右方向の中央の外周側にサービスステーション３を配置した状態では、人Ｈ０はサービスステーション３と正面で対面することになり、このサービスステーション３に設けた各種サービス物品（液晶表示装置等のモニター３６）等と対面してキーボード４４等への入力作業に集中することができる。
【００３２】
また、椅子７０に着座する人Ｈ０は机天板２の内径側の凹縁部２ｂの箇所に位置が規定され、略半円状の机天板２の上面の全ての箇所に手が届く範囲になり、作業がし易くなる。しかも、サービスステーション３に前記モニター３６等の各種サービス物品をまとめ、且つ机天板２の外周縁に近い側に沿わせて配置することで、机天板２上が前記物品で占領されず、広く使えると共に作業に集中することもできるのである。
【００３３】
そして、この人Ｈ０が図１５（ｂ）または図１５（ｃ）のように、机天板２を左または右方向に３０度乃至４０度程度水平旋回させ、且つ人Ｈ０の向きも前記旋回した方向に向かう（対面する）ように、椅子７０の向きを変える。そうすると、前記人Ｈ０の視野に大きな変化を与えることができ、例えば、図１５（ｂ）の状態では、前記モニター３６は人Ｈ０の正面に対して右方向に偏り、机天板２の正面にはサービスステーション３がなく右側に偏った位置となるので、当該サービスステーション３の物理的障害及び視野的障害を避けて、その机天板２の外周のうち略中央部から左側の広い範囲で、人Ｈ１と対面して打ち合わせ等の対話を行うことができる。また、キーボード４４の位置を机天板２の右にずらし、モニター３６の向きを左に変えて、入力作業も同時にこなすことができる。
【００３４】
図１５（ｃ）の場合には、机天板２を右に略３０度旋回させて人Ｈ０の向きもその方向に変えると、サービスステーション３は机天板２の中央から左側に偏位した位置となり、その机天板２の外周のうち略中央部から右側にて人Ｈ１と対面して対話することができる。また、キーボード４４の位置を机天板２の左にずらし、モニター３６の向きを右に変えて、入力作業も同時にこなすことができる。
このようにして、右利きの人や左利きの人という作業者の個人的特性に対応して机天板上の作業空間を適切に選択することができる。
【００３５】
しかも、机天板２の外周が平面視にて円弧状であるから、当該机天板２の内径側に位置する人Ｈ０の手が届く範囲が机天板２の上面の全範囲で略一定となり、サービスステーション３と人Ｈ０との距離が遠くなり過ぎたり、近づき過ぎたりすることがなく作業を円滑に実行できる。
【００３６】
本発明のシステム机１を複数配列する場合、例えば図１６（ａ）で説明すると、前記サービスステーション３を挟んで複数（実施形態では３つ）の机天板２の外周縁が隣接することになるので、机天板２の回転中心Ｏからサービスステーション３の平均半径部分（前記横枠７）の内外径の平均値の部分までの距離が常に一定の半径Ｒ０となり、各机天板２の内径側に位置（着座）する人Ｈ０は前記回転中心Ｏの近傍に位置するので、当該人Ｈ０は、直径２×Ｒ０の円形の領域７１（図１５で二点鎖線で示す）で囲まれたことになる。換言すると、各机天板２の内径側に着座する人Ｈ０と、隣接する机天板２の内径側に着座する人Ｈ０との間に、直径２×Ｒ０のテリトリー（縄張り、領域）が確保されることになる。
【００３７】
そして、人のテリトリーバランス（領域の均衡性）、人間中心の最適動作空間を考慮すると、この直径２×Ｒ０を１５００ｍｍ〜１６００ｍｍ程度に設定することが好ましく、且つ最小限となるのである。
【００３８】
そして、本発明のシステム机１を複数配置するとき、前記円形の領域７１にてテリトリーバランスを確保しつつ、且つ各机天板２の水平回動できるスペースを確保しながら、レイアウトの任意性（自由性）や柔軟性も保証できる。例えば、図１６（ａ）では、３つのシステム机１を平面視で三角状に配置したものであり、図１６（ｂ）では４つのシステム机１を平面視で平行四辺形（菱形）状に配置したものであり、図１６（ｃ）は波形状に配列したものを示す。
【００３９】
これらのレイアウトにおいて、例えば、図１６（ａ）のように３つのサービスステーション３を中心に挟んで３つの机天板２を平面視で三角状に配置すると、互いにサービスステーション３が物理的障害となって、作業に集中できる。他方、図１６（ｂ）の配列において、複数のサービスステーション３にて隔てられて対峙して向き合う２人の人Ｈ０、Ｈ０同士は、当該サービスステーション３の物理的障害のために対話が困難であり、作業に集中することができる。他方、前記サービスステーション３の存在しない側で隣接する机天板２、２同士では、各机天板２に対する人の向きが同じであれば、互いに視線を気にすることなく、作業に集中できるものでありながら、いずれか一方もしくは双方の机天板２、２を回動させて、２人の人Ｈ０、Ｈ０が対面するように向き合うようにして至極簡単に対話をはかることができる。
【００４０】
サービスステーション３を波形状に配列した図１６（ｃ）では、別部材としての横枠７（ビーム部材６９）を介して隣接するサービスステーション３の横枠７と連結し、平面視波形状に配置する。この場合、各横枠７（ビーム部材６９）の円弧の中心角度を６０度としておけば、同一形状のビーム部材を利用して複数のサービスステーション３を簡単、且つ無理なく接続することができる。このレイアウトにおいても、隣接する机天板２、２を２０度〜６０度程度左右方向に回動させて向きを変更し（二点鎖線状態参照）、２人の人Ｈ０、Ｈ０が横枠７（ビーム部材６９）を挟んで対面するように向き合えば、対話の環境に簡単に変えることができ、また各机天板２の向きを作業集中方向に変更することも至極間単にできる。
【００４１】
【発明の効果】
以上に詳述したように、請求項１に記載の発明のシステム机は、平面視で略半円状の机天板と、該机天板の外周縁より外側に配置されるサービスステーションとからなり、ガイド手段を介してサービスステーションに対して机天板を平面視円弧状に相対的に移動案内すべく連結されていることを特徴とするものである。この構成によれば、ガイド手段により机天板とサービスステーションとは連結状態を保持しているから、机天板の回転中心側に位置する作業者が、自分を中心にしてサービスステーションに対して机天板を左右方向に任意に回動させて向きを変えることができ、その場合、サービスステーションに搭載されたＯＡ機器等に対する作業を集中させるように作業者が対峙したり、対話のために机天板を回動させてサービスステーションを相対的に横に偏位させて机天板の外周側に位置する人に対面するというように、作業者の視野に大きな変化を与えことが容易となり、対話に関して視野的障害や物理的障害を除くことも至極簡単にできる。
【００４２】
また、机天板の外周縁の半径寸法を所定の寸法に設定することにより、人のテリトリーバランス（領域の均衡性）及び人間中心の最適動作空間を確保しつつ、複数のシステム机を配置するレイアウトの任意性（自由性）や柔軟性も保証でき、その場合にも、作業への集中と人との対話という作業の変更も机天板の水平回動だけで至極簡単にできるという効果を奏する。
【００４３】
請求項２に記載の発明は、請求項１に記載のシステム机において、前記机天板の内径部には、その円弧状外周縁の仮想円中心近傍に人が位置するための凹縁部が形成されているものである。
【００４４】
この構成によれば、請求項１に記載の発明による効果に加えて、着座する人は机天板の内径側の凹縁部の箇所に位置が規定され、略半円状の机天板の上面の全ての箇所に手が届く範囲になり、作業がし易くなる。しかも、人が着座姿勢のままで簡単に机天板を回動させることができる。
【００４５】
また、請求項３に記載の発明は、請求項１または請求項２に記載のシステム机において、前記サービスステーションは、机天板の上面側に対するサービス提供部を有するのであるから、請求項１または請求項２に記載の発明による効果に加えて、サービスステーションにＯＡ機器等のサービス物品を搭載または載置することにより、机天板上を広く使うことができる。しかも、サービスステーションに各種サービス物品をまとめ、且つ机天板の外周縁に近い側に沿わせて配置することで、机天板上が前記物品で占領されず、広く使えると共に作業に集中することもできるのである。
【００４６】
さらに、請求項４に記載の発明は、請求項１乃至請求項３のいずれかに記載のシステム机において、前記机天板を支持する脚体にキャスタを備え、前記ガイド手段は、前記机天板の外周部に配置された平面視円弧状のガイドレールを介して前記サービスステーションとの距離を一定にして連結し、机天板とサービスステーションとを相対的に水平移動可能に構成したものである。この場合には、サービスステーションとのガイド手段を介して机天板の外周側が水平方向に回動可能に連結されているので、脚体ごと机天板を水平移動させると、当該机天板はその回動中心回りに位置変更させることが至極容易となり、机天板の支持安定性も損なわないのである。
【００４７】
他方、請求項５に記載の発明は、請求項１乃至請求項３のいずれかに記載のシステム机において、前記サービスステーションの脚体から突出する支持部に、机天板をその回転中心回りに回動可能に支持させたものである。この構成によれば、請求項１乃至請求項３のいずれかに記載の発明による効果に加えて、机天板を床面に介して直接支持する脚体を不要とするから構成が簡単化できるという効果を奏する。
【００４８】
請求項６に記載の発明は、請求項１乃至請求項４に記載のシステム机において、前記机天板を支持する脚体に、当該机天板をその回転中心回りに回動可能に支持させたものである。この構成によれば、請求項１乃至請求項４のいずれかに記載の発明による効果に加えて、机天板はサービスステーションと脚体との両者に対して回動可能に支持される結果、支持連結の強さを大きくでき頑丈になるという効果を奏する。
【図面の簡単な説明】
【図１】システム机の正面図である。
【図２】システム机の右側断面図である。
【図３】システム机の平面図である。
【図４】ガイド手段の要部断面図である。
【図５】脚柱１１と横枠７と支柱１６との連結状態を示す側断面図である。
【図６】ガイド手段の他の実施形態を示す側断面図である。
【図７】横枠７の一部切欠き平面図である。
【図８】（ａ）は図７の VIIIa−VIIIa 線断面図、（ｂ）は図７の VIIIb−VIIIb 線矢視端面図である。
【図９】システム机を前側から見た斜視図である。
【図１０】システム机を後側から見た斜視図である。
【図１１】（ａ）はシステム机の第２実施形態の平面図、（ｂ）は側面図である。
【図１２】（ａ）はシステム机の第３実施形態の平面図、（ｂ）は側面図である。
【図１３】（ａ）はシステム机の第４実施形態の平面図、（ｂ）は側面図である。
【図１４】システム机の第４実施形態の前側から見た斜視図である。
【図１５】作業の種類による机天板の向き変更を示す平面図であり、（ａ）は人がサービスステーションと対峙する方向を示し、（ｂ）はサービスステーションに対して机天板を左向きに回動した位置を示し、（ｃ）はサービスステーションに対して机天板を右向きに回動した位置を示す。
【図１６】（ａ）は３つのシステム机を平面視三角状に配置した平面図、（ｂ）は４つのシステム机を平面視菱形状に配置した平面図、（ｃ）は複数のシステム机を波形状に配置した平面図である。
【符号の説明】
１      システム机
２      机天板
２ａ    外周縁
２ｂ    凹縁部
３      サービスステーション
４      机天板の脚体
５      キャスタ
６      ガイドレール
７      横枠
８      物品載置部
９      サービスステーションの脚体
１１      脚柱
１３      アーム
１４      ガイド手段の一部としての回転コロ
Ｏ      回転中心
Ｈ０    人
【図１】
0004554099.tif 000002
【図２】
0004554099.tif 000003
【図３】
0004554099.tif 000004
【図４】
0004554099.tif 000005
【図５】
0004554099.tif 000006
【図６】
0004554099.tif 000007
【図７】
0004554099.tif 000008
【図８】
0004554099.tif 000009
【図９】
0004554099.tif 000010
【図１０】
0004554099.tif 000011
【図１１】
0004554099.tif 000012
【図１２】
0004554099.tif 000013
【図１３】
0004554099.tif 000014
【図１４】
0004554099.tif 000015
【図１５】
0004554099.tif 000016
【図１６】
0004554099.tif 000017